(57)【要約】第１の場所において、低帯域幅視覚化、即ち、第２の場所におけるコンテンツの目視者の参加の視覚化を投影することによって第１の場所におけるコンテンツの提示を補強する方法であって、低帯域幅視覚化は、その中の存在情報が抽象形式でレンダリングされ、例えば、第２の場所における目視者のシルエットの投影、又は、第２の場所において記録されたオーディオの視覚化である。第１の場所における目視者が第２の場所における目視者を観察することを可能にすることによって、第１の目視者に対し、社会的存在の感覚が生成される。更に、第１の場所におけるコンテンツの補強提示のためのシステムは、コンテンツを提示するための提示手段と、第２の場所におけるコンテンツの目視者の参加の低帯域幅視覚化を作成する視覚化手段と、第１の場所において低帯域幅視覚化を投影する投影手段とを有する。視覚化手段は、カメラ又はマイクロホンを有し得る。
2006513669.tif 000002
【特許請求の範囲】
【請求項１】
第１の場所におけるコンテンツの提示を、第２の場所における前記コンテンツの目視者の参加の低帯域幅視覚化を前記第１の場所において投影することによって、補強する方法。
【請求項２】
前記低帯域幅視覚化は、前記第２の場所における前記目視者のシルエットの投影を有する請求項１記載の方法。
【請求項３】
前記シルエットの前記投影は、前記第１の場所において前記コンテンツがその上で提示されるディスプレイの背後に投影される請求項２記載の方法。
【請求項４】
前記シルエットの前記投影は、前記第１の場所において前記コンテンツがその上で提示されるディスプレイの上方に投影される請求項２記載の方法。
【請求項５】
前記低帯域幅視覚化は、前記第２の場所において記録されたオーディオの視覚化を有する請求項１記載の方法。
【請求項６】
第１の場所におけるコンテンツの補強された提示のためのシステムであって、
前記コンテンツを提示する提示手段と、
第２の場所における前記コンテンツの目視者の参加の低帯域幅視覚化を作成する視覚化手段と、
前記第１の場所において前記低帯域幅視覚化を投影する投影手段と、
を有するシステム。
【請求項７】
前記視覚化手段は、所定の間隔で前記第２の場所における前記目視者の画像を記録するよう構成され、２つの後続の記録画像間の差分を計算するよう構成されるビジュアライザに結合されるカメラを有し、
前記ビジュアライザは、前記差分を前記投影手段に伝送する送信器に結合され、
前記投影手段は、前記差分を、低帯域幅視覚化として表示するよう構成される請求項６記載のシステム。
【請求項８】
前記視覚化手段は、前記第２の場所におけるオーディオを記録するよう構成され、前記記録オーディオを所与のスケール上の色値にマッピングするよう構成されるビジュアライザに結合されるマイクロホンを有し、
前記ビジュアライザは、前記色値を前記投影手段に伝送する送信器に結合され、
前記投影手段は、前記色値に対応する色を、低帯域幅視覚化として表示するよう構成される請求項６記載のシステム。
【請求項９】
前記視覚化手段は、インターネットを介して前記投影手段に接続される請求項６記載のシステム。
【発明の詳細な説明】
【技術分野】
【０００１】
本発明は、様々な物理的な場所におけるコンテンツの目視者に社会的存在の感覚を与えることによるコンテンツの提示の補強に係る。
【背景技術】
【０００２】
接続性技術が進化するに従って、この技術に課せられる将来の電化製品のユーザ利益の探求は、重要となってくる。インタラクティブテレビジョンといった進化した技術の導入は、期待した消費者の行動変化をもたらしていない。この最も重要な原因の１つは、魅力的なユーザ利益を提供する十分なコンテンツがないことであった。しかし、インタラクティブテレビジョン用の十分なコンテンツの作成は、十分な消費者がインタラクティブテレビジョンを使用する場合にのみ魅力的であろう。
【０００３】
消費者は、ネットワークイネーブルされたＣＥ装置の接続性が消費者自身に利益を追加する場合にのみ、その装置を購入するであろうと考えられている。１つのそのような利益は、社会的存在を与えることである。社会的存在とは、一緒にいる感覚を意味する。接続されたＣＥ装置を使用して、社会的存在は、遠隔地から同じコンテンツを楽しみながら一緒にいる感覚を消費者に与えることが可能であるべきである。従って、接続されたＣＥ装置のユーザ利益は、特別なコンテンツの利用可能性がなくてももたらすことが可能である。というのは、ユーザの物理的な存在が、ネットワーク接続された電気製品のコンテンツとなり得るからである。接続性が、我々の生活及び電子装置の日常使用のより一部となるに従って、ネットワークインフラは、社会的相互作用のイネーブラーとなることが期待される。インターネットを介するチャット及び携帯電話を介するＳＭＳといったアプリケーションが存在するが、システム仲介通信及び情報交換だけではない。あまり深く検討されていないアプリケーションは、ネットワークにされた装置の社会的存在の形成である。
【０００４】
存在の概念は、物理的存在と社会的存在のカテゴリに広く分類することが可能である。物理的存在とは、どこかに物理的に位置付けられた感覚を意味する。これは、例えば、頭部取り付け型ディスプレイといった装置を有する仮想現実システムを人々に与えることによって達成可能である。一方で、社会的存在は、誰か別の人と一緒にいる（及び通信する）感覚として定義可能である。焦点は、別の場所にいる感覚ではなく、別の人とインタラクトしている感覚に置く。
【０００５】
社会生活において、人々は、自分たちが相互関係する多くのグループの一部である。そのようなグループのメンバーであるという感覚は、グループアトラクションと呼ぶ。そのグループのメンバーが常に互いを物理的に訪ね、映画、テレビ番組、又は他のコンテンツアイテムを一緒に見ることが可能である（好ましい）わけではない。従って、異なる物理的な場所においてコンテンツを見る人々間でグループアトラクションを与えることが好適である。このことを行う１つの既知の方法は、各場所にカメラを設けることである。カメラは、それらの場所における目視者の参加を記録する。記録は、その記録を見ることのできる他の場所に伝送され、それにより、そこにいる目視者は、記録された目視者を観察することができる。これは、幾らかの社会的存在の感覚をもたらすが、この解決策のマイナスの面は、観察されているという感覚ももたらすということである。家庭におけるカメラは、非常に侵入的であり、人々は、カメラの前でぎこちなく感じる。提示する解決策は、カメラの使用を必要とする。従って、カメラの侵入性は依然としてある。しかし、侵入性の知覚をもたらすのは、カメラではなく、むしろフル画像投影である。
【発明の開示】
【発明が解決しようとする課題】
【０００６】
様々な物理的な場所にいるコンテンツの目視者に社会的存在の感覚を与え、また、観察されている感覚を低減する技術的方法を提供することを目的とする。
【課題を解決するための手段】
【０００７】
この目的は、本発明では、第１の場所において、第２の場所におけるコンテンツの目視者の参加の低帯域幅視覚化を投影する段階を有する方法と、コンテンツを提示する提示手段と、第２の場所におけるコンテンツの目視者の参加の低帯域幅視覚化を作成する視覚化手段と、第１の場所において低帯域幅視覚化を投影する投影手段とを有するシステムとにおいて達成される。
【０００８】
第１の場所における目視者が、第２の場所における目視者を観察することを可能にすることによって、最初の目視者に、社会的存在の間隔が生成される。当然ながら、第２の場所において、第１の場所における目視者の参加の同様の視覚化を同時に投影することも可能である。
【０００９】
本発明の必要不可欠な面は、第１の場所において投影される視覚化は、低帯域幅視覚化である、即ち、その中の存在情報は、例えば、第２の場所における目視者のシルエットの投影、又は、第２の場所において記録されたオーディオの視覚化といった抽象的な形でレンダリングされることである。発明者によって行われた実証的研究は、遠隔場所における活動の低帯域幅視覚化は、社会的存在の感覚と、グループの一部である感覚（グループアトラクション）をもたらすことが可能であることを示す。同時に、低帯域幅視覚化は、その活動の完全な視覚化よりも厭わしくないことも示す。更に、第２の場所における参加者に、完全なビデオ記録及び投影が用いられたコントロールグループにおけるより、第１の場所において目視者によって観察されている感覚を少なく与えた。
【００１０】
E.  Pedersen及びT.  Sokolerによる論文「AROMA:  abstract  presentation  of  presence  supporting  mutual  awareness」（１９９７年のＡＣＭのＣＨＩ’９７の議事録）は、周辺の認識のために遠隔存在の感覚を伝える方法を開示する。１つの実施例は、遠隔場所におけるより抽象的な視覚化を作成するために視覚画像の劣化を使用する。しかし、この論文は、コンテンツの提示の補強、又は、様々な物理的な場所におけるコンテンツの同時視聴の間の社会的存在の感覚の生成については関係していない。
【００１１】
本発明のシステムの１つの好適な実施例では、視覚化手段は、所定の間隔で第２の場所における目視者の画像を記録するよう構成され、２つの後続の記録画像間の差分を計算するよう構成されるビジュアライザに結合されるカメラを有し、ビジュアライザは、差分を投影手段に伝送する送信器に結合され、投影手段は、差分を、低帯域幅視覚化として表示するよう構成される。この実施例の利点は、少数の画素のみが伝送されればよいことであり、これは、ビジュアライザ及び投影手段における計算負荷を減少する。このようにして、第２の場所における人のシルエットが、非常に単純であるが依然として効果的な方法で表示される。
【００１２】
本発明のシステムの更なる１つの好適な実施例では、第２の場所におけるオーディオを記録するよう構成され、記録オーディオを所与のスケール上の色値にマッピングするよう構成されるビジュアライザに結合されるマイクロホンを有し、ビジュアライザは、色値を投影手段に伝送する送信器に結合され、投影手段は、色値に対応する色を、低帯域幅視覚化として表示するよう構成される。
【００１３】
カメラの代わりにマイクロホンを使用することも、社会的存在の感覚を生成することを可能にする。しかし、マイクロホンは、人々にぎこちなく感じさせまた観察されている感覚をもたらす点でカメラと同様の不利点を有する。記録されたオーディオ自体を再生するのではなく、記録されたオーディオを所与のスケール上の色値にマッピングし、その色値を表示することによって、観察されているという感覚は実質的に低減される。依然として、社会的存在の感覚は、十分な方法で与えられる。というのは、投影される色は、第１の場所における目視者が、第２の場所における人の気持ちを学習することを可能にする。
【発明を実施するための最良の形態】
【００１４】
図１は、インターネットといったネットワーク１２０を介して相互接続される第１の表示装置１１０及び第２の表示装置１３０を有するシステム１００を示す。好適な実施例では、表示装置１１０及び１２０は、テレビ受像機を有する。しかし、当然ながら、これらの表示装置は、任意の種類の装置であることが可能である。例えば、パーソナルコンピュータ、ラジオ、映画プロジェクションシステム等を用意に代用することが可能である。
【００１５】
第１の表示装置１１０は、第１の場所に位置付けられ、第２の表示装置１３０は、第２の表示装置１３０は、第２の場所に位置付けられ、第１の場所とは物理的に別個である。装置１１０、１２０は、同じ家の異なる部屋に、同じ道の異なる家に、異なる街に、更には、異なる国に位置付けられることも可能である。ネットワーク１２０を介するその接続によって、表示装置の物理的な距離は重要ではない。
【００１６】
目視者１１１及び１１２は、第１の表示装置１１０上に表示されるコンテンツを見ている。同時に、目視者１３１、１３２、及び１３３は、第２の表示装置１３０上に表示される同じコンテンツを見ている。カメラ１１５が、目視者１１１、１１２の画像を記録するよう設けられ、カメラ１３５が、目視者１３１−１３３の画像を記録するよう設けられる。記録画像の品質は、非常に高くある必要はないので、安い「ウェブカム」十分である。カメラ１１５、１３５は、ここの実施例では、表示装置１１０及び１２０内のプロセッサ上で実行されるソフトウェア（図示せず）として実施される各ビジュアライザに結合される。更に、ここの実施例では、表示装置１１０及び１２０の上方に設置されるプロジェクタ１１１６、１３６が設けられる。プロジェクタ１１６、１３６は、目視者が、その上に投影される画像を観察することを可能にするよう十分に大きい場合は、表示装置１１０及び１２０の背後に設置されることも可能である。
【００１７】
ビジュアライザは、例えば、毎秒１画像といったように所定の間隔でカメラから画像を受信する。表示装置におけるビジュアライザは、表示装置に接続されたカメラによって記録された後続の画像との差分を計算する。一般的に、これは、後続の画像における対応場所の画素値を引くことによって行われる。このようにして得られたデルタは、他の場所における表示装置に接続されたプロジェクタに伝送される。従って、カメラ１１５によって記録された画像から得られたデルタは、表示装置１１０から、プロジェクタ１３６に伝送され、また、カメラ１３５によって記録された画像から得られたデルタは、プロジェクタ１１６に伝送される。しかし、後続の画像との間で変更された画素のみを伝送することによって、必要なデータ伝送容量における相当の削減が得られる。
【００１８】
プロジェクタ１１６，１３６は、受信したデータを表示する。そのデータが得られた方法によって、目視者１３１−１３３及び１１１、１１２それぞれのシルエットの投影が結果として表示される。そのような投影の例を、図２に示す。図２から３人の目視者１３１、１３２、及び１３３が、幾らか受動的に表示されているコンテンツを観察していることは判断可能であるが、これらの３人の目視者をはっきりと観察して誰であるか、どのような服を着ているか、及び正確に何をしているのかを判断することは可能ではない。このことによって、３人の目視者は、観察されているとは感じない。
【００１９】
カメラ１１５、１３５の使用の代案は、マイクロホンを使用することである。マイクロホンは、第１及び第２の場所において、オーディオを記録する。表示装置１１０、１２０内のビジュアライザは、記録オーディオを受信し、それを、所与のスケールの色値にマッピングする。例えば、記録オーディオの音量が、１乃至１００のスケールにマッピングされることが可能である。多くの好適な代案が存在する。次に、色値は、もう一方の場所にあるプロジェクタ１１６、１３６に伝送され、そこで受信した色値に対応する色が表示される。このようにして、第１の場所におけるオーディオ音量における変化が、第２の場所において、色における変化によって、例えば、オーディオ音量における変化に対応するように青から赤に変化する、又は、色の強度及び輝度が変化することによって、知覚することが可能である。この代案は、実現するのに非常に安価であるが、非常に効果的である。というのは、背景における色の変化は、表示装置上に表示されるコンテンツアイテムを見ているときでも容易に観察可能だからである。
【００２０】
第１又は第２の場所において記録されたオーディオを視覚化する他の方法も、当然ながら、可能である。マイクロホンを使用することは、カメラよりも侵入的であるが、依然として、社会的存在の感覚を適切にもたらすことを可能にする。
【図面の簡単な説明】
【００２１】
【図１】本発明のシステムの好適な実施例を示す図である。
【図２】シルエット投影の形の低帯域幅投影を示す図である。
【図１】
2006513669.tif 000003
【図２】
2006513669.tif 000004
【国際調査報告】
2006513669.tif 000005
2006513669.tif 000006
2006513669.tif 000007